(57)【特許請求の範囲】
【請求項１】
信号送信方法であって、前記方法は２つの論理ポートと８つの物理アンテナとを有する通信システムに適用され、前記２つの論理ポートは論理ポート０および１であり、前記８つの物理アンテナは物理アンテナ０，１，２，３，４，５，６および７であり、前記８つの物理アンテナの重み係数の振幅は全て１であり、前記物理アンテナ０および４の前記重み係数の位相は０であり、前記物理アンテナ１および５の前記重み係数の位相はΔ1*kであり、前記物理アンテナ２および６の前記重み係数の位相はΔ2*kであり、前記物理アンテナ３および７の前記重み係数の位相は(Δ1+Δ2)*kであり、Δ1およびΔ2は、隣接するサブキャリア間の位相差であり、前記kはサブキャリアの数であり、前記方法は、
前記８つの物理アンテナにマッピングされた信号を取得するステップであって、前記物理アンテナ０，１，２および３の前記マッピングされた信号は、前記物理アンテナ０，１，２および３の前記重み係数に基づいて前記論理ポート０の信号を別々に重み付けすることによって取得され、前記重み付けにおいて、前記物理アンテナ０，１，２および３のうちの１つの前記重み係数の前記位相はπ増加し、前記物理アンテナ４，５，６および７の前記マッピングされた信号は、前記物理アンテナ４，５，６および７の前記重み係数に基づいて前記論理ポート１の信号を別々に重み付けすることによって取得され、前記重み付けにおいて、前記物理アンテナ４，５，６および７のうちの１つの前記重み係数の前記位相はπ増加する、ステップと、
前記８つの物理アンテナの前記マッピングされた信号を送信するステップと
を有することによって特徴づけられる方法。
【請求項２】
前記重み付けにおいて、前記物理アンテナ１の前記重み係数の前記位相はα1増加し、
前記重み付けにおいて、前記物理アンテナ２の前記重み係数の前記位相はβ1増加し、
前記重み付けにおいて、前記物理アンテナ３の前記重み係数の前記位相はα1とβ1の和増加し、α1およびβ1はランダムな傾斜角度である、請求項１に記載の方法。
【請求項３】
前記重み付けにおいて、前記物理アンテナ５の前記重み係数の前記位相はα2増加し、
前記重み付けにおいて、前記物理アンテナ６の前記重み係数の前記位相はβ2増加し、
前記重み付けにおいて、前記物理アンテナ７の前記重み係数の前記位相はα2とβ2の和増加し、α2およびβ2はランダムな傾斜角度である、請求項１または２に記載の方法。
【請求項４】
信号送信装置であって、前記装置は２つの論理ポートと８つの物理アンテナとを有する通信システム内に配置され、前記２つの論理ポートは論理ポート０および１であり、前記８つの物理アンテナは物理アンテナ０，１，２，３，４，５，６および７であり、前記８つの物理アンテナの重み係数の振幅は全て１であり、前記物理アンテナ０および４の前記重み係数の位相は０であり、前記物理アンテナ１および５の前記重み係数の位相はΔ1*kであり、前記物理アンテナ２および６の前記重み係数の位相はΔ2*kであり、前記物理アンテナ３および７の前記重み係数の位相は(Δ1+Δ2)*kであり、Δ1およびΔ2は、隣接するサブキャリア間の位相差であり、前記kはサブキャリアの数であり、前記装置は、
前記８つの物理アンテナにマッピングされた信号を取得するように構成される処理モジュールであって、前記物理アンテナ０，１，２および３の前記マッピングされた信号は、前記物理アンテナ０，１，２および３の前記重み係数に基づいて前記論理ポート０の信号を別々に重み付けすることによって取得され、前記重み付けにおいて、前記物理アンテナ０，１，２および３のうちの１つの前記重み係数の前記位相はπ増加し、前記物理アンテナ４，５，６および７の前記マッピングされた信号は、前記物理アンテナ４，５，６および７の前記重み係数に基づいて前記論理ポート１の信号を別々に重み付けすることによって取得され、前記重み付けにおいて、前記物理アンテナ４，５，６および７のうちの１つの前記重み係数の前記位相はπ増加する、処理モジュールと、
前記８つの物理アンテナの前記マッピングされた信号を送信するように構成される送信モジュールとを有することによって特徴づけられる装置。
【請求項５】
前記重み付けにおいて、前記物理アンテナ１の前記重み係数の前記位相はα1増加し、
前記重み付けにおいて、前記物理アンテナ２の前記重み係数の前記位相はβ1増加し、
前記重み付けにおいて、前記物理アンテナ３の前記重み係数の前記位相はα1とβ1の和増加し、α1およびβ1はランダムな傾斜角度である、請求項４に記載の装置。
【請求項６】
前記重み付けにおいて、前記物理アンテナ５の前記重み係数の前記位相はα2増加し、
前記重み付けにおいて、前記物理アンテナ６の前記重み係数の前記位相はβ2増加し、
前記重み付けにおいて、前記物理アンテナ７の前記重み係数の前記位相はα2とβ2の和増加し、α2およびβ2はランダムな傾斜角度である、請求項４または５に記載の装置。
【請求項７】
コンピュータに請求項１乃至３のいずれか１項の方法を実行させるプログラム。
【発明の詳細な説明】
【技術分野】
【０００１】
本願は、中国特許庁に２０１２年１２月３１日に出願された、"SIGNAL TRANSMISSION METHOD AND APPARATUS"と題する、中国特許出願第201210592000.6に優先権を主張し、その全体において参照によって本明細書に組み込まれる。
【０００２】
本発明は無線通信技術の分野に関し、特に、信号送信方法に関する。
【背景技術】
【０００３】
無線通信システムのスループットおよびカバレッジ性能に対する要件がますます高くなったため、多入力多出力（Multiple-input Multiple-output、略してMIMO）技術と直交周波数分割多重（Orthogonal frequency division multiplexing、略してOFDM）技術との組み合わせは、ロング・ターム・エボリューション（Long Term Evolution、略してLTE）システムのようなホットスポットとなる。MIMO技術の適用においては、論理データチャネルの数は物理データチャネルの数と等しくない場合があり、論理データチャネルと物理データチャネルとの間の対応付けが確立される必要があり、すなわち、論理データチャネル（または論理ポート）は、物理データチャネル（または物理アンテナポート）にマッピングされる。既存の商用LTEシステムでは、２つの論理ポート（以下略して２Portと呼ぶ）を有する送信モードが一般に使用される。基地局が信号送信のために８つの物理アンテナポートを使用する場合、４つの物理アンテナポート（以下略してアンテナと呼ぶ）間で１つの論理ポートへのマッピングが実施される必要がある。図１に示されるように、図１は、既存のLTEシステムにおける８つのアンテナと２Portのための信号送信方法および実施構成を示す。
【０００４】
従来技術では、８つのアンテナが信号送信のために使用される場合、ワイドビーム実施方法または巡回遅延ダイバーシティ（Cyclic Delay Diversity、略してCDD）実施方法が一般に使用される。ワイドビーム実施方法は、各物理アンテナの各サブキャリアに同じ位相を有する重み係数を乗じた後に信号送信が実行されることである。この実施方法では、セルカバレッジ要件を満たす重み付けされたビーム形状を達成するために、いくつかの物理アンテナに対応する送信経路を介した送信は、低減された電力によって実行される必要があり、そのことは、基地局の送信電力の損失を引き起こす。CDD実施方法は、各物理アンテナの各サブキャリアに異なる位相を有する重み係数を乗じた後に信号送信が実行されることであり、本実施方法においてもたらされる性能利得は、サブキャリア信号の変動（fluctuation）から生じる性能損失を補償しない場合がある。
【発明の概要】
【課題を解決するための手段】
【０００５】
前述の２つの従来の技術によってもたらされる技術的課題を解決するために、第１の態様に基づくと、本発明は信号送信方法を提供し、前記方法は２つの論理ポートと８つの物理アンテナとを含む通信システムに適用され、２つの論理ポートは論理ポート０および１であり、８つの物理アンテナは物理アンテナ０，１，２および３と物理アンテナ４，５，６および７とであり、前記方法は、
論理ポート０の信号と論理ポート１の信号とを重み付けし、重み付けされた信号を物理アンテナ０，１，２および３と、物理アンテナ４，５，６および７とにマッピングし、信号を送信するステップを含み、
物理アンテナの重み係数の振幅は全て１であり、
物理アンテナの重み係数の位相は、物理アンテナ０および４に対しては０であり、物理アンテナ１および５に対してはΔ1*kであり、物理アンテナ２および６に対してはΔ2*kであり、物理アンテナ３および７に対しては(Δ1+Δ2)*kであり、加えて、物理アンテナ０，１，２および３のいずれか１つの重み係数の位相および物理アンテナ４，５，６および７のいずれか１つの重み係数の位相はπ増加し、Δ1およびΔ2は、隣接するサブキャリア間の位相差であり、kはサブキャリアの数である。
【０００６】
第１の可能実施方法では、第１の態様を参照すると、物理アンテナの重み係数の位相に関して、物理アンテナ１，２および３の重み係数の位相はさらに、それぞれα1，β1およびα1とβ1の和増加し、α1およびβ1はランダムな傾斜角度である。
【０００７】
第２の可能実施方法では、第１の態様または第１の態様の第１の可能実施方法を参照すると、物理アンテナの重み係数の位相に関して、物理アンテナ５，６および７の重み係数の位相はさらに、それぞれα2，β2およびα2とβ2の和増加し、α2およびβ2はランダムな傾斜角度である。
【０００８】
第３の可能実施方法では、第１の態様、第１の態様の第１の可能実施方法または第１の態様の第２の可能実施方法を参照すると、物理アンテナの重み係数の位相に関して、物理アンテナの重み係数の位相はさらにφ増加し、φはランダムな傾斜角度である。
【０００９】
第２の態様に基づくと、本発明は信号送信装置を提供し、前記装置は２つの論理ポートと８つの物理アンテナとを含む通信システム内に配置され、２つの論理ポートは論理ポート０および１であり、８つの物理アンテナは物理アンテナ０，１，２および３と物理アンテナ４，５，６および７とであり、前記装置は、
論理ポート０の信号と論理ポート１の信号とを重み付けし、次いで、重み付けされた信号を物理アンテナ０，１，２および３と、物理アンテナ４，５，６および７とにマッピングするように構成される処理モジュールと、
信号を送信するように構成される送信モジュールとをさらに含み、
物理アンテナの重み係数の振幅は全て１であり、
物理アンテナの重み係数の位相は、物理アンテナ０および４に対しては０であり、物理アンテナ１および５に対してはΔ1*kであり、物理アンテナ２および６に対してはΔ2*kであり、物理アンテナ３および７に対しては(Δ1+Δ2)*kであり、加えて、物理アンテナ０，１，２および３のいずれか１つの重み係数の位相および物理アンテナ４，５，６および７のいずれか１つの重み係数の位相はπ増加し、Δ1およびΔ2は、隣接するサブキャリア間の位相差であり、kはサブキャリアの数である。
【００１０】
第１の可能実施方法では、第２の態様を参照すると、物理アンテナの重み係数の位相に関して、物理アンテナ１，２および３の重み係数の位相はさらに、それぞれα1，β1およびα1とβ1の和増加し、α1およびβ1はランダムな傾斜角度である。
【００１１】
第２の可能実施方法では、第２の態様または第２の態様の第１の可能実施方法を参照すると、物理アンテナの重み係数の位相に関して、物理アンテナ５，６および７の重み係数の位相はさらに、それぞれα2，β2およびα2とβ2の和増加し、α2およびβ2はランダムな傾斜角度である。
【００１２】
第３の可能実施方法では、第２の態様、第２の態様の第１の可能実施方法または第２の態様の第２の可能実施方法を参照すると、物理アンテナの重み係数の位相に関して、物理アンテナの重み係数の位相はさらにφ増加し、φはランダムな傾斜角度である。
【００１３】
本発明では、８つの物理アンテナの各サブキャリアには、特定の位相の重み係数が乗算され、物理アンテナ０，１，２および３の任意の１つの重み係数の位相および物理アンテナ４，５，６および７の任意の１つの重み係数の位相はπ増加し、次いで信号送信が実行される。信号送信方法は、基地局の送信電力の損失を引き起こさず、サブキャリアの電力変動振幅もまた比較的小さく、特にアンテナが故障している場合、性能損失はあまり大きくない。
【図面の簡単な説明】
【００１４】
本発明の実施形態における技術的解決手段をより明確に説明するために、以下では、本発明の実施形態を説明するために必要とされる添付図面を簡潔に説明する。明らかに、以下の説明における添付図面は単に本発明のいくつかの実施形態を示すものであり、当業者は、創造的努力なくしてこれらの添付図面から他の図面をさらに導出できる。
【００１５】
【図１】図１は、既存のLTEシステムにおける８アンテナ２Portのための信号送信方法および実施構成を示す。
【図２】図２は、既存のLTEシステムにおける８アンテナ２Portのための別の信号送信方法および実施構成を示す。
【図３】図３は、本発明の実施形態に係る信号送信装置の概略構成図である。
【図４】図４は、本発明の実施形態に係る別の信号送信装置の概略構成図である。
【発明を実施するための形態】
【００１６】
以下では、本発明の実施形態における添付図面を参照して、本発明の実施形態における技術的解決手段を明確に且つ十分に説明する。明らかに、説明される実施形態は、本発明の実施形態の全てではなく一部である。創造的努力なくして本発明の実施形態に基づいて当業者によって取得される他の全ての実施形態は、本発明の保護範囲に包含されるべきである。
【００１７】
実施形態１
【００１８】
本実施形態は信号送信方法を提供し、前記方法は２つの論理ポートと８つの物理アンテナとを含む通信システムに適用され、２つの論理ポートは論理ポート０および１であり、８つの物理アンテナは物理アンテナ０，１，２および３と物理アンテナ４，５，６および７とである。
【００１９】
本発明において言及される全てのアンテナは物理アンテナであるとともに、８つの物理アンテナは、主偏波アンテナ（co-polarization antenna）または交差偏波アンテナ（cross polarization antenna）であってもよい。本実施形態は、実施例として４列の交差偏波物理アンテナを使用することによって説明され、４列の交差偏波物理アンテナは、配列要素に対して較正（calibrate）されるとともに等間隔で配置され、各列は、正の45度の交差偏波物理アンテナおよび負の45度の交差偏波物理アンテナを含む。
【００２０】
図２は、信号送信方法によって使用される実施構成を示す。図２に示されるように、プリコーディング（Precoding）後に取得された２つのPort信号は重み付け処理を受け、次いで、８つの物理アンテナに別々にマッピングされる。マッピング方法は、論理ポート０の信号は物理アンテナ０，１，２および３にマッピングされるとともに論理ポート１の信号は物理アンテナ４，５，６および７にマッピングされてもよく、または、論理ポート０の信号は物理アンテナ４，５，６および７にマッピングされるとともに論理ポート１の信号は物理アンテナ０，１，２および３にマッピングされてもよい。
【００２１】
物理アンテナの重み係数の振幅は全て１である。
【００２２】
物理アンテナ０，１，２および３の重み係数の位相はそれぞれ、0，Δ1*k，Δ2*kおよび(Δ1+Δ2)*kであり、物理アンテナ４，５，６および７の重み係数の位相はそれぞれ、0，Δ3*k，Δ4*kおよび(Δ3+Δ4)*kである。加えて、物理アンテナ０，１，２および３のいずれか１つの重み係数の位相と、物理アンテナ４，５，６および７のいずれか１つの重み係数の位相は、π増加する。Δ1，Δ2，Δ3およびΔ4はそれぞれ、物理アンテナ１，２，５および６の隣接するサブキャリア間の位相差であり、kはサブキャリアの数である。
【００２３】
Δ1=Δ3であり、且つΔ2=Δ4である場合、物理アンテナの重み係数の位相は、物理アンテナ０および４に対しては０であり、物理アンテナ１および５に対してはΔ1*kであり、物理アンテナ２および６に対してはΔ2*kであり、物理アンテナ３および７に対しては(Δ1+Δ2)*kであり、加えて、物理アンテナ０，１，２および３のいずれか１つの重み係数の位相および物理アンテナ４，５，６および７のいずれか１つの重み係数の位相はπ増加する。
【００２４】
前述の方法に基づいて２つのPort信号に対して重み付けおよびマッピングが実行された後、信号は、物理アンテナを使用することによって送信される。
【００２５】
任意で、物理アンテナ１の重み係数の位相はさらにα1増え、物理アンテナ2の重み係数の位相はさらにβ1増え、物理アンテナ3の重み係数の位相はさらにα1とβ1の和増え、α1およびβ1は、0度から2πのような、ランダムな傾斜角度である。
【００２６】
前述の任意の解決手段に基づいて、物理アンテナ５の重み係数の位相はさらにα2増え、物理アンテナ６の重み係数の位相はさらにβ2増え、物理アンテナ７の重み係数の位相はさらにα2とβ2の和増え、α2およびβ2は、0度から2πのような、ランダムな傾斜角度である。すなわち、物理アンテナの重み係数の位相は、物理アンテナ０および４に対しては０であり、物理アンテナ１および５に対してはそれぞれΔ1*k+α1およびΔ1*k+α2であり、物理アンテナ２および６に対してはそれぞれΔ2*k+β1およびΔ2*k+β2であり、物理アンテナ３および７に対してはそれぞれ(Δ1+Δ2)*k+α1+β1および(Δ1+Δ2)*k+α2+β2であり、加えて、物理アンテナ０，１，２および３のいずれか１つの重み係数の位相および物理アンテナ４，５，６および７のいずれか１つの重み係数の位相はπ増加する。
【００２７】
任意で、α1=α2=αであり、且つβ1=β2=βである場合、それは、物理アンテナ１および５の重み係数の位相がさらにα増え、物理アンテナ２および６の重み係数の位相がさらにβ増え、物理アンテナ３および７の重み係数の位相がさらにαとβの和増え、αおよびβはランダムな傾斜角度であることと等価である。すなわち、物理アンテナの重み係数の位相は、物理アンテナ０および４に対しては０であり、物理アンテナ１および５に対してはΔ1*k+αであり、物理アンテナ２および６に対してはΔ2*k+βであり、物理アンテナ３および７に対しては(Δ1+Δ2)*k+α+βであり、加えて、物理アンテナ０，１，２および３のいずれか１つの重み係数の位相および物理アンテナ４，５，６および７のいずれか１つの重み係数の位相はπ増加する。
【００２８】
この場合、論理ポート０の信号を重み付けすること、および重み付けされた信号を物理アンテナ０，１，２および３にマッピングすることは、以下の式によって示されてもよい：
【００２９】
【数１】
0005945079.tif 000002
【００３０】
ここで、W0は、論理ポート０の信号の各サブキャリアの重み付けを示し、w00，w01，w02，およびw03はそれぞれ、物理アンテナ０，１，２および３を示す。
【００３１】
論理ポート１の信号を重み付けすること、および重み付けされた信号を物理アンテナ４，５，６および７にマッピングすることは、以下の式によって示されてもよい：
【００３２】
【数２】
0005945079.tif 000003
【００３３】
ここで、W1は、論理ポート１の信号の各サブキャリアの重み付けを示し、w10，w11，w12，およびw13はそれぞれ、物理アンテナ４，５，６および７を示す。
【００３４】
前述の２つの式では、Δ1=Δ3であり，Δ2=Δ4であり，α1=α2=αであり，β1=β2=βであり，物理アンテナ３の重み係数の位相および物理アンテナ６の重み係数の位相は別々にπ増加する。
【００３５】
任意で、前述の解決手段に基づいて、物理アンテナの重み係数の位相はさらにφ増えてもよく、φは0度から2πのような、ランダムな傾斜角度である。例えば、α1=α2=αであり、且つβ1=β2=βであり、すなわち、物理アンテナの重み係数の位相は、物理アンテナ０および４に対してφであり、物理アンテナ１および５に対してΔ1*k+α+φであり、物理アンテナ２および６に対してΔ2*k+β+φであり、物理アンテナ３および７に対して(Δ1+Δ2)*k+α+β+φであり、加えて、物理アンテナ０，１，２および３のいずれか１つの重み係数の位相および物理アンテナ４，５，６および７のいずれか１つの重み係数の位相はπ増加する。
【００３６】
信号送信方法は、各物理アンテナの送信電力をフルに利用して、基地局の送信電力の損失を引き起こさず、サブキャリアの電力変動振幅もまた比較的小さく、特にアンテナが故障している場合、性能損失はあまり大きくない。
【００３７】
実施形態２
【００３８】
本実施形態は、信号送信装置を提供し、前記装置は通信システムに接続するか、または通信システム内に配置され、通信システムは、２つの論理ポートと８つの物理アンテナとを含み、２つの論理ポートは論理ポート０および１であり、８つの物理アンテナは物理アンテナ０，１，２および３と物理アンテナ４，５，６および７とである。
【００３９】
本発明において言及される全てのアンテナは物理アンテナであるとともに、８つの物理アンテナは、主偏波アンテナまたは交差偏波アンテナであってもよい。本実施形態は、実施例として４列の交差偏波物理アンテナを使用することによって説明され、４列の交差偏波物理アンテナは、配列要素に対して較正されるとともに等間隔で配置され、各列は、正の45度の交差偏波物理アンテナおよび負の45度の交差偏波物理アンテナを含む。
【００４０】
図３は、信号送信装置の概略構成図である。論理ポートと物理アンテナは図では省略され、図３で示されるように、信号送信装置は、
論理ポート０の信号と論理ポート１の信号とを重み付けし、次いで、重み付けされた信号を物理アンテナ０，１，２および３と、物理アンテナ４，５，６および７とにマッピングするように構成される処理モジュール３１と、
信号を送信するように構成される送信モジュール３２と
を含む。
【００４１】
物理アンテナの重み係数の振幅は全て１である。
【００４２】
物理アンテナ０，１，２および３の重み係数の位相は、それぞれ０，Δ1*k，Δ2*kおよび(Δ1+Δ2)*kであり、物理アンテナ４，５，６および７の重み係数の位相は、それぞれ０，Δ3*k，Δ4*kおよび(Δ3+Δ4)*kである。加えて、物理アンテナ０，１，２および３のいずれか１つの重み係数の位相および物理アンテナ４，５，６および７のいずれか１つの重み係数の位相はπ増加する。Δ1，Δ2，Δ3およびΔ4はそれぞれ、物理アンテナ１，２，５および６の隣接するサブキャリア間の位相差であり、kはサブキャリアの数である。
【００４３】
Δ1=Δ3であり、且つΔ2=Δ4である場合、物理アンテナの重み係数の位相は、物理アンテナ０および４に対しては０であり、物理アンテナ１および５に対してはΔ1*kであり、物理アンテナ２および６に対してはΔ2*kであり、物理アンテナ３および７に対しては(Δ1+Δ2)*kであり、加えて、物理アンテナ０，１，２および３のいずれか１つの重み係数の位相および物理アンテナ４，５，６および７のいずれか１つの重み係数の位相はπ増加する。
【００４４】
任意で、物理アンテナ１の重み係数の位相はさらにα1増え、物理アンテナ2の重み係数の位相はさらにβ1増え、物理アンテナ3の重み係数の位相はさらにα1とβ1の和増え、α1およびβ1は、0度から2πのような、ランダムな傾斜角度である。
【００４５】
前述の任意の解決手段に基づいて、物理アンテナ５の重み係数の位相はさらにα2増え、物理アンテナ６の重み係数の位相はさらにβ2増え、物理アンテナ７の重み係数の位相はさらにα2とβ2の和増え、α2およびβ2は、0度から2πのような、ランダムな傾斜角度である。すなわち、物理アンテナの重み係数の位相は、物理アンテナ０および４に対しては０であり、物理アンテナ１および５に対してはそれぞれΔ1*k+α1およびΔ1*k+α2であり、物理アンテナ２および６に対してはそれぞれΔ2*k+β1およびΔ2*k+β2であり、物理アンテナ３および７に対してはそれぞれ(Δ1+Δ2)*k+α1+β1および(Δ1+Δ2) *k+α2+β2であり、加えて、物理アンテナ０，１，２および３のいずれか１つの重み係数の位相および物理アンテナ４，５，６および７のいずれか１つの重み係数の位相はπ増加する。
【００４６】
任意で、α1=α2=αであり、且つβ1=β2=βである場合、それは、物理アンテナ１および５の重み係数の位相がさらにα増え、物理アンテナ２および６の重み係数の位相がさらにβ増え、物理アンテナ３および７の重み係数の位相がさらにαとβの和増え、αおよびβはランダムな傾斜角度であることと等価である。すなわち、物理アンテナの重み係数の位相は、物理アンテナ０および４に対しては０であり、物理アンテナ１および５に対してはΔ1*k+αであり、物理アンテナ２および６に対してはΔ2*k+βであり、物理アンテナ３および７に対しては(Δ1+Δ2)*k+α+βであり、加えて、物理アンテナ０，１，２および３のいずれか１つの重み係数の位相および物理アンテナ４，５，６および７のいずれか１つの重み係数の位相はπ増加する。
【００４７】
この場合、論理ポート０の信号を重み付けすること、および重み付けされた信号を物理アンテナ０，１，２および３にマッピングすることは、以下の式によって示されてもよい：
【００４８】
【数３】
0005945079.tif 000004
【００４９】
ここで、W0は、論理ポート０の信号の各サブキャリアの重み付けを示し、w00，w01，w02，およびw03はそれぞれ、物理アンテナ０，１，２および３を示す。
【００５０】
論理ポート１の信号を重み付けすること、および重み付けされた信号を物理アンテナ４，５，６および７にマッピングすることは、以下の式によって示されてもよい：
【００５１】
【数４】
0005945079.tif 000005
【００５２】
ここで、W1は、論理ポート１の信号の各サブキャリアの重み付けを示し、w11，w12，w13，およびw10はそれぞれ、物理アンテナ４，５，６および７を示す。
【００５３】
前述の２つの式では、Δ1=Δ3であり，Δ2=Δ4であり，α1=α2=αであり，β1=β2=βであり，物理アンテナ３の重み係数の位相および物理アンテナ６の重み係数の位相は別々にπ増加する。
【００５４】
任意で、前述の解決手段に基づいて、物理アンテナの重み係数の位相はさらにφ増えてもよく、φは0度から2πのような、ランダムな傾斜角度である。例えば、α1=α2=αであり、且つβ1=β2=βであり、すなわち、物理アンテナの重み係数の位相は、物理アンテナ０および４に対してφであり、物理アンテナ１および５に対してΔ1*k+α+φであり、物理アンテナ２および６に対してΔ2*k+β+φであり、物理アンテナ３および７に対して(Δ1+Δ2)*k+α+β+φであり、加えて、物理アンテナ０，１，２および３のいずれか１つの重み係数の位相および物理アンテナ４，５，６および７のいずれか１つの重み係数の位相はπ増加する。
【００５５】
信号を送信するとき、信号送信装置は、各物理アンテナの送信電力をフルに利用して、基地局の送信電力の損失を引き起こさず、サブキャリアの電力変動振幅もまた比較的小さく、特にアンテナが故障している場合、性能損失はあまり大きくない。
【００５６】
実施形態３
【００５７】
本実施形態は、信号送信装置を提供し、前記装置は、２つの論理ポートと８つの物理アンテナとを含む通信システム内に配置される。図４は、信号送信装置の概略構成図であり、図４に示されるように、信号送信装置は、
プロセスコードを格納するように構成されるメモリ４１と、
メモリ４１に格納されたプロセスコードに基づいて、実施形態１で説明された信号の重み付け方法およびマッピング方法を実行するように構成されるプロセッサ４２と、
プロセッサ４２を使用することによって重み付けされマッピングされた信号を送信するように構成される送信機４３と
を含む。
【００５８】
当業者は、本明細書で開示された実施形態において説明された実施例と組み合わせて、ユニットおよびアルゴリズムステップは、電子ハードウェア、コンピュータソフトウェアまたはそれらの組合せによって実施されてもよいことを認識することができる。ハードウェアおよびソフトウェア間の互換性を明確に説明するために、前述では、機能に基づいて各実施例の構成物およびステップを一般的に説明した。機能がハードウェアによって実行されるかソフトウェアによって実行されるかは、技術的解決手段の特定の用途および設計制約条件による。当業者は、各特定の用途に対する説明された機能を実施するために異なる方法を使用してもよいが、そのような実施は本発明の範囲を超えるものと考えられるべきではない。
【００５９】
簡便且つ簡潔な説明を目的として、前述のシステム、装置およびユニットの詳細な動作プロセスに対して、前述の方法の実施形態における対応するプロセスが参照されてもよく、詳細は繰り返し説明されない。
【００６０】
本願で提供されるいくつかの実施形態において、開示されたシステム、装置および方法は他の方法で実施されてもよいことは理解されるべきである。例えば、説明された装置の実施形態は単に例示的なものである。例えば、ユニットの分割は単に、論理的な機能の分割であり、実際の実施においては他の分割であってもよい。例えば、複数のユニットまたはコンポーネントは、別のシステムに結合されるか統合されてもよく、またはいくつかの特徴は無視されるか実行されなくてもよい。加えて、表示されたまたは議論された相互結合または直接結合または通信接続は、いくつかのインタフェースを介して実施されてもよい。装置またはユニット間の間接結合または通信接続は、電子的、機械的または他の形態で実施されてもよい。
【００６１】
別個の部品として説明されたユニットは、物理的に別個であってもなくてもよいとともに、ユニットとして表示された部品は、物理的なユニットであってもなくてもよく、１つの位置に配置されてもよく、または複数のネットワークユニットに分散されてもよい。ユニットの一部またはすべては、本発明の実施形態の解決手段の目的を達成するための実際の必要性に基づいて選択されてもよい。
【００６２】
加えて、本発明の実施形態における機能ユニットは１つの処理ユニットに統合されてもよく、またはユニットのそれぞれは物理的に単独で存在してもよく、または２つ以上のユニットは１つのユニットに統合される。統合されたユニットは、ハードウェアの形態で実施されてもよく、またはソフトウェア機能ユニットの形態で実施されてもよい。
【００６３】
統合されたユニットがソフトウェア機能ユニットの形態で実施されるとともに、独立した製品として販売されるか使用される場合、統合されたユニットは、コンピュータ可読記憶媒体に格納されてもよい。そのような理解に基づくと、本質的に本発明の技術的解決手段は、または従来技術に貢献する部分、または技術的解決手段の全てまたは一部は、ソフトウェア製品の形態で実施されてもよい。ソフトウェア製品は記憶媒体に格納されるとともに、本発明の実施形態で説明された方法のステップの全てまたは一部を実行するようにコンピュータデバイス（パーソナルコンピュータ、ワークステーションまたはネットワークデバイスであってもよい）に命令するためのいくつかの命令を含む。前述の記憶媒体は、USBフラッシュドライブ、リムーバブルハードディスク、読み出し専用メモリ（ROM，Read-Only Memory）、ランダムアクセスメモリ（RAM，Random Access Memory）、磁気ディスクまたは光ディスクのような、プログラムコードを格納することができる任意の媒体を含む。
【００６４】
本発明の実施形態に基づく技術的解決手段は、ロング・ターム・エボリューション（Long Term Evolution、略してLTE）システム、LTE周波数分割デュプレックス（Frequency Division Duplex、略してFDD）システム、LTE時分割デュプレックス（Time Division Duplex、略してTDD）システム、ユニバーサル移動体通信システム（Universal Mobile Telecommunications System、略してUMTS）、ワールドワイド・インターオペラビリティ・フォー・マイクロウェーブ・アクセス（Worldwide Interoperability for Microwave Access、略してWiMAX）通信システム、マイクロ波通信システム等に適用されることができることは理解されるべきである。
【００６５】
前述の説明は単に本発明の特定の実施形態であるが、本発明の保護範囲を限定するものではない。本発明で開示された技術範囲内で当業者によって容易に成されたいかなる修正または置換も、本発明の保護範囲に包含されるべきである。従って、本発明の保護範囲は、特許請求の範囲の保護範囲に従うべきである。
【符号の説明】
【００６６】
３１  処理モジュール
３２  送信モジュール
４１  メモリ
４２  プロセッサ
４３  送信機
【図１】
0005945079.tif 000006
【図２】
0005945079.tif 000007
【図３】
0005945079.tif 000008
【図４】
0005945079.tif 000009